(57)【要約】【課題】  ３６０度の送風範囲に送風する機能を持つとともに、限定された方向への送風も行うことができる扇風機を提供する。【解決手段】  扇風機Ａにおいては、モータの回転軸が垂直方向に設けられ、ファン６０が回転することにより３６０度の方向に送風を行うことができる。一部に送風されない範囲を得るには、風よけ部７０をカバー部４０に取り付ける。なお、この風よけ部７０を伸縮自在として送風されない範囲を調整するようにしてもよい。また、モータの回転軸が垂直方向を向いている場合と水平方向を向いている場合とでファンの回転方向を逆にして３６０度の範囲の送風と、ファンの軸線方向への送風とに切り替えるようにしてもよい。【選択図】        図１
2006063948.tif 000002
【特許請求の範囲】
【請求項１】
扇風機であって、
扇風機本体で、
垂直方向に設けられた回転軸を有するモータと、
該モータの回転軸に取り付けられたファンと、
該ファンをカバーするカバー部とを有し、
モータの回転に伴いファンが回転することにより、該モータの回転軸を中心として３６０度の方向に送風可能な扇風機本体と、
該扇風機本体のカバー部に取り付け可能な風よけ部と、
を有することを特徴とする扇風機。
【請求項２】
扇風機であって、
支柱部と、
該支柱部に対して上下方向に回動可能に設けられた送風部で、
回転軸を有するモータと、
該モータの回転軸に取り付けられたファンと、
該ファンをカバーするカバー部で、該ファンの半径方向の周囲に設けられた筒状部と、ファンの軸線方向の支柱部側に設けられた端面部と、該端面部と筒状部との間に設けられた第１開口部と、ファンの軸線方向の支柱部側とは反対側に設けられた第２開口部とを有するカバー部と、を有する送風部と、
送風部の向きがモータの回転軸が垂直方向を向くような向きとなっている場合には、ファンが回転することにより、第１開口部から空気が排出されるようにモータを第１の回転方向に回転させ、一方、送風部の向きがモータの回転軸が水平方向を向くような向きになっている場合には、ファンが回転することにより、第２開口部から空気が排出されるようにモータを第１の回転方向とは逆の方向である第２の回転方向に回転させる制御部と、
を有することを特徴とする扇風機。
【請求項３】
送風部の支柱部に対する向きを検出する検出部を有し、上記制御部は、該検出部の検出結果に従い、モータの回転方向を制御することを特徴とする請求項２に記載の扇風機。
【請求項４】
少なくとも、送風部の向きがモータの回転軸が水平方向を向くような向きとなっている場合に、少なくとも送風部を所定角度の範囲において水平方向に往復回転させる往復回転機構を有することを特徴とする請求項２又は３に記載の扇風機。
【請求項５】
少なくとも、送風部の向きがモータの回転軸が垂直方向を向くような向きとなっている場合に、上記カバー部に取り付け可能な風よけ部を有することを特徴とする請求項２又は３又は４に記載の扇風機。
【請求項６】
上記風よけ部が、上記カバー部の一部を覆う風よけ部本体と、該風よけ部本体に設けられた係止部で、カバー部に係止可能な係止部と、を有することを特徴とする請求項１又は５に記載の扇風機。
【請求項７】
上記風よけ部が伸縮可能に形成されていることを特徴とする請求項１又は５又は６に記載の扇風機。
【発明の詳細な説明】
【技術分野】
【０００１】
本発明は、扇風機に関するものである。
【背景技術】
【０００２】
従来からの扇風機は、ファンを回転させることにより一方向に風を送るものが一般的であり、広範囲の角度に送風しようとする場合には、ファンを有する頭部を首振り機能により所定の角度範囲で往復回転させるようになっている。
【０００３】
しかし、首振り機能を用いたとしても、３６０度の範囲に亘って送風することはできず、また、首振り機能のため各方向に対しては間欠的に送風されるのみであるので、ある方向に常に送風できるわけではなかった。
【０００４】
このような問題点を解決するために、特許文献１に示すように、垂直方向にファンの回転軸を設けてファンを回転させることにより、３６０度の範囲に亘って送風することができるものが提案されている。
【特許文献１】実開平６−４０３９５号公報
【発明の開示】
【発明が解決しようとする課題】
【０００５】
しかし、上記特許文献１に記載の扇風機においては、３６０度の範囲に亘って送風されるので、風を受けたくない者にも送風されてしまうという問題があった。特に、通常の首振り機能を有する扇風機の場合には、送風される範囲は限られているため、送風を受けたくない者は、送風範囲外の位置に移動すれば送風を受けなくて済むが、上記特許文献１や特許文献２の扇風機の場合には、３６０度の範囲に送風されてしまうので、送風を受けたくない者は扇風機の近くにいることができないという問題があった。
【０００６】
そこで、本発明は、扇風機において、３６０度の送風範囲に送風する機能を持つとともに、限定された方向への送風も行うことができる扇風機を提供することを目的とするものである。
【課題を解決するための手段】
【０００７】
本発明は上記問題点を解決するために創作されたものであって、第１には、扇風機であって、扇風機本体で、垂直方向に設けられた回転軸を有するモータと、該モータの回転軸に取り付けられたファンと、該ファンをカバーするカバー部とを有し、モータの回転に伴いファンが回転することにより、該モータの回転軸を中心として３６０度の方向に送風可能な扇風機本体と、該扇風機本体のカバー部に取り付け可能な風よけ部と、を有することを特徴とする。
【０００８】
この第１の構成の扇風機においては、モータが回転することによりファンが回転し、モータの回転軸を中心として３６０度の範囲に亘って送風することが可能となる。よって、扇風機の周囲のどの位置にいても風を受けることができる。また、風よけ部が設けられているので、この風よけ部をカバー部に設けることにより、送風されない範囲を得ることができ、送風を受けたくない者にとっては扇風機の近くにいても風を受けないようにすることができる。よって、３６０度の方向への送風のみならず、ある方向への限定された送風を行なうことができる。
【０００９】
また、第２には、扇風機であって、支柱部と、該支柱部に対して上下方向に回動可能に設けられた送風部で、回転軸を有するモータと、該モータの回転軸に取り付けられたファンと、該ファンをカバーするカバー部で、該ファンの半径方向の周囲に設けられた筒状部と、ファンの軸線方向の支柱部側に設けられた端面部と、該端面部と筒状部との間に設けられた第１開口部と、ファンの軸線方向の支柱部側とは反対側に設けられた第２開口部とを有するカバー部と、を有する送風部と、送風部の向きがモータの回転軸が垂直方向を向くような向きとなっている場合には、ファンが回転することにより、第１開口部から空気が排出されるようにモータを第１の回転方向に回転させ、一方、送風部の向きがモータの回転軸が水平方向を向くような向きになっている場合には、ファンが回転することにより、第２開口部から空気が排出されるようにモータを第１の回転方向とは逆の方向である第２の回転方向に回転させる制御部と、を有することを特徴とする。
【００１０】
この第２の構成の扇風機においては、送風部の向きがモータの回転軸が垂直方向を向くような向きとなっている場合には、ファンが回転することにより、第１開口部から空気が排出されるので、第１開口部を３６０度の方向に亘って開口させておくことにより、モータの回転軸を中心として３６０度の範囲に亘って送風することが可能となる。よって、扇風機の周囲のどの位置にいても風を受けることができる。一方、送風部の向きがモータの回転軸が水平方向を向くような向きになっている場合には、ファンが回転することにより、第２開口部から空気が排出されるので、通常の扇風機と同様に、ファンの軸線方向に向けて送風を行うことができる。よって、３６０度の方向への送風と、ある方向への限定された送風とを切り替えて使用することができ、状況により使い分けを行うことができる。
【００１１】
また、第３には、上記第２の構成において、送風部の支柱部に対する向きを検出する検出部を有し、上記制御部は、該検出部の検出結果に従い、モータの回転方向を制御することを特徴とする。よって、送風部の支柱部に対する向きを検出してモータの回転方向が制御されるので、回転方向を一々手動で切り替える必要がない。
【００１２】
また、第４には、上記第２又は第３の構成において、少なくとも、送風部の向きがモータの回転軸が水平方向を向くような向きとなっている場合に、少なくとも送風部を所定角度の範囲において水平方向に往復回転させる往復回転機構を有することを特徴とする。よって、ファンの軸線方向に向けて送風する場合に、所定の角度の範囲に亘って送風を行うことが可能となる。なお、この往復回転機構としては、例えば、支柱部の下端に台部を設け、支柱部が台部に対して所定の角度で水平方向に往復回転するような機構とすることが考えられる。
【００１３】
また、第５には、上記第２から第４までのいずれかの構成において、少なくとも、送風部の向きがモータの回転軸が垂直方向を向くような向きとなっている場合に、上記カバー部に取り付け可能な風よけ部を有することを特徴とする。よって、風よけ部をカバー部に設けることにより、送風されない範囲を得ることができ、送風を受けたくない者にとっては扇風機の近くにいても風を受けないようにすることができる。
【００１４】
また、第６には、上記第１又は第５の構成において、上記風よけ部が、上記カバー部の一部を覆う風よけ部本体と、該風よけ部本体に設けられた係止部で、カバー部に係止可能な係止部と、を有することを特徴とする。
【００１５】
また、第７には、上記第１又は第５又は第６の構成において、上記風よけ部が伸縮可能に形成されていることを特徴とする。このように、風よけ部を伸縮可能にできるので、送風されない範囲を調整することが可能となる。このように風よけ部を伸縮可能とする場合の例としては、扁平なスリーブ状のスリーブ状部と、スリーブ状部内に収納されるとともにスリーブ状部から引き出して使用することができる板状部とを有する構成とすることが考えられる。
【発明の効果】
【００１６】
本発明に基づく扇風機によれば、３６０度の方向への送風のみならず、ある方向への限定された送風を行なうことができる。
【００１７】
特に、風よけ部を設ける場合には、この風よけ部により送風されない領域を得ることができ、さらに、風よけ部を伸縮自在とすることにより、送風されない範囲を調整することが可能となる。
【００１８】
また、モータの回転方向を正逆変更する場合には、３６０度方向に送風する扇風機と通常のタイプの扇風機とを使い分けることが可能となる。
【発明を実施するための最良の形態】
【００１９】
本発明においては、扇風機において、３６０度の送風範囲に送風する機能を持つとともに、限定された方向への送風も行うことができる扇風機を提供するという目的を以下のようにして実現した。
【実施例１】
【００２０】
本発明の実施例１に基づく扇風機Ａは、図１、図２に示されるように、扇風機本体５と、風よけ部７０とを有している。
【００２１】
扇風機本体５は、台部１０と、支柱部２０と、送風部３０とを有している。ここで、台部１０は、扇風機Ａの基台として機能し、オンオフボタン１２や、強弱切替えスイッチ１４等が設けられている。このオンオフボタン１２は、ファン６０の回転をオンオフするためのスイッチであり、強弱切替えスイッチ１４は、ファン６０の回転速度を調整するためのスイッチである。
【００２２】
また、支柱部２０は、台部１０の上面に立設して設けられている。この支柱部２０は、円柱棒状の支柱本体２２と、支柱本体２２の上端に設けられた突状片部（図示せず）とを有し、この突状片部は、ネジ止め部３８のネジ部を螺着させるためのネジ穴が形成されていて、この突状片部と後述するケース部３２における突状片部３６とを当接させてネジ止め部３８によりネジ止めすることにより、突状片部３６が支柱部２０に取り付けられるようになっている。
【００２３】
また、送風部３０は、ケース部３２と、カバー部４０と、モータ（図示せず）と、回転軸５０と、ファン６０とを有している。
【００２４】
ここで、ケース部３２は、ケース本体３４と、突状片部３６とを有し、ケース本体３４は、ケース状を呈する部材であり、内部にモータ（図示せず）が収納されている。このケース本体３４の形状は略円柱状を呈している。回転軸５０は、このモータの回転軸である。また、突状片部３６は、ケース本体３４の側面に形成され、略板状を呈し、ネジ止め部３８のネジ部を挿通するための挿通穴を有している。つまり、ネジ止め部３８のネジ部を突状片部３６の挿通穴に挿通し、支柱部２０の突状片部のネジ穴に螺着させることにより、ケース部３２を支柱部２０に取り付けることができ、これにより、送風部３０が支柱部２０に取り付けられる。なお、ケース部３２は、ネジ止め部３８のネジ部を中心に支柱部２０に対して回動させることができるので、送風部３０の方向を調整することができる。
【００２５】
次に、カバー部４０は、ケース部３２の上部に取り付けられ、網目状部材により形成されている。このカバー部４０は、上部構成部４２と、中部構成部４４と、下部構成部４６とを有し、上部構成部４２は、平面視で円形の外形を有する容器状形状を逆様にした形状を呈している。また、中部構成部４４は、円筒状を呈している。また、下部構成部４６は、平面視で円形の外形を有する容器状形状にケース本体３４の上部を臨ませるための開口部を有した形状を呈している。このようにカバー部４０は、上部構成部４２と中部構成部４４と下部構成部４６とで構成されて、ファン６０を収納するための収納空間を有している。なお、上部構成部４２と中部構成部４４と下部構成部４６とは、ともに網目状の部材により形成されている。
【００２６】
また、回転軸５０は、このカバー部４０内に配置されていて、中部構成部４４の軸線方向に平行に設けられている。この回転軸５０は、送風部３０の支柱部２０に対する向きを調整することにより、垂直方向に設けられるようになっている。例えば、円筒状を呈する中部構成部４４の軸線方向を垂直方向にすることにより、この回転軸５０も垂直方向となる。
【００２７】
また、ファン６０は、軸受部６２と、羽根部６４とを有している。この軸受部６２は、円筒状を呈し、回転軸５０に軸支されるようになっている。また、羽根部６４は、軸受部６２の周面に複数（本実施例では、３つ）取り付けられている。このファン６０は、所定の方向に回転することにより、側方方向に風を送ることができるようになっている。
【００２８】
また、風よけ部７０は、カバー部４０の一部をカバーして送風されない領域を形成するための部材であり、風よけ部本体７２と、係止部（「係止部材」としてもよい）７４とを有している。ここで、風よけ部本体７２は、曲面状の板状を呈する部材であり、この風よけ部本体７２は、少なくとも空気を透過しない部材により形成されている。ここで、風よけ部本体７２の形状について具体的に説明すると、風よけ部本体７２は円弧状の板状を呈し、その縦方向の長さα１は、カバー部４０の中部構成部４４の縦方向（つまり、軸線方向と平行な方向）の長さβ１と略同一となっている。また、風よけ部本体７２がなす円弧の径は、カバー部４０における円筒状の中部構成部４４の外周面にカバーできる程度の径を有していて、例えば、風よけ部本体７２の内側の面の円弧の径は、中部構成部４４の外周面の径と略同一となっている。また、風よけ部本体７２の横方向の長さは、少なくとも中部構成部４４の外周面の長さ以下の長さに形成されていて（つまり、角度として、３６０度以下の角度分の長さに形成されている）、好ましくは、中部構成部４４の外周面の外周の長さの４分の１〜２分の１程度に形成されている。つまり、円弧の角度として、９０度〜１８０度程度の長さに形成されている。
【００２９】
また、係止部７４は、風よけ部本体７２をカバー部４０に取り付けるための取付け部材であり、逆Ｊ字状（逆Ｕ字状でもよい）に形成され、カバー部４０を構成する網目に係止可能に形成されている。この係止部７４は、風よけ部本体７２に複数（例えば、２つ）設けられている。
【００３０】
なお、風よけ部本体７２の横方向の長さが異なる風よけ部を複数用意しておいて（つまり、円弧の角度として角度が異なる風よけ部本体を複数用意しておく）、状況に応じて使い分けるようにしてもよい。
【００３１】
また、扇風機Ａには、制御回路（制御部）が設けられていて、この制御回路は、主として、ケース本体３４に収納されたモータの動作を制御する。例えば、モータの駆動のオンオフを制御したり、モータの回転数を制御する。
【００３２】
上記構成の扇風機Ａの使用状態について説明する。オンオフボタン１２を操作してオンとすることによりモータが回転し、これに伴い回転軸５０が回転するので、これにより、ファン６０が回転する。つまり、オンオフボタン１２をオンとすると、これを制御回路（図示せず）が検知して、モータを回転させ、これによりファン６０が回転する。すると、ファン６０の回転によりファン６０の側方に向けて送風が行われる。つまり、ファン６０の側方で３６０度の方向に送風が行われる。具体的には、ファン６０の回転に伴い、ファン６０の上方や下方の空気が吸い込まれ、ファン６０の周囲に向けて風が送られる。なお、送風の強度を調整する場合には、強弱切替えスイッチ１４により切替えを行う。制御回路は、この強弱切替えスイッチ１４の状態を検知して、モータの回転数を制御する。
【００３３】
よって、扇風機Ａを中心とした３６０度の方向に送風が行われるので、扇風機Ａの近くにいる者であればどの位置にいても風を受けることができる。
【００３４】
また、扇風機Ａによる送風を受けたくない場合には、風よけ部７０をカバー部４０に取り付ける。つまり、係止部７４をカバー部４０に係止して（具体的には、係止部７４を上部構成部４２又は中部構成部４４に係止することになる）、風よけ部本体７２をカバー部４０の中部構成部４４の外面に取り付ける。風よけ部７０をカバー部４０に取り付けた状態は、図２に示すようになる。すると、この風よけ部７０が取り付けられた領域からは送風されないので、送風を受けずに済むことができる。
【００３５】
なお、円弧の角度が異なる複数の風よけ部本体を有する風よけ部が複数用意されている場合には、状況に応じて適切な風よけ部を選択して使用する。
【００３６】
以上のように、本実施例の扇風機Ａによれば、３６０度の方向に送風を行うことができるとともに、上記風よけ部７０を用いることにより、限定された方向のみに送風を行うことができる。
【００３７】
また、上記の説明では、複数の風よけ部を用意して適切な風よけ部を選択して使用するとして説明したが、これには限られず、例えば、１つの風よけ部の風よけ部本体が伸縮するようにしてもよい。
【００３８】
すなわち、図３に示すように、風よけ部７０’は、風よけ部本体７２と、係止部７４とを有しているが、風よけ部本体７２は伸縮するように構成されていて、スリーブ状部７２−１と、板状部７２−２とを有している。ここで、スリーブ状部７２−１は、内側部７２−１ａと、上側部７２−１ｂと、外側部７２−１ｃと、下側部７２−１ｄとを有していて、全体にスリーブ状を呈している。この内側部７２−１ａは、帯板状を円弧状に湾曲した形状を呈している。また、上側部７２−１ｂは、円弧状の細長い帯状を呈している。また、外側部７２−１ｃは、内側部７２−１ａに対して平行に設けられ、帯板状を円弧状に湾曲した形状を呈している。また、下側部７２−１ｄは、上側部７２−１ｂと同様に形成され、円弧状の細長い帯状を呈している。この内側部７２−１ａと上側部７２−１ｂと外側部７２−１ｃと下側部７２−１ｄとで、縦に細長いスリーブ状、すなわち、筒状に形成されている。なお、このスリーブ状部７２−１の円弧状の径は、カバー部４０における円筒状の中部構成部４４の外周面にカバーできる程度の径を有していて、例えば、スリーブ状部７２−１の内側の面の円弧の径は、中部構成部４４の外周面の径と略同一となっている。また、スリーブ状部７２−１の縦方向の長さα１１は、カバー部４０の中部構成部４４の縦方向（つまり、軸線方向と平行な方向）の長さと略同一となっている。
【００３９】
また、板状部７２−２は、円弧状に湾曲した板状をなし、より具体的には、長方形状の板状を円弧状に湾曲した形状をなしている。この板状部７２−２の縦方向の長さα１２は、スリーブ状部７２−１の開口部の縦方向の長さよりも若干短い長さとなっていて、板状部７２−２がスリーブ状部７２−１内に収納可能となっている。また、板状部７２−２の横方向の長さは、スリーブ状部７２−１の横方向の長さよりも短く形成されていて、板状部７２−２がスリーブ状部７２−１内に完全に収納できるようになっている。
【００４０】
また、係止部７４は、上記と同様に、逆Ｊ字状（逆Ｕ字状でもよい）に形成された部材であり、カバー部４０を構成する網目に係止可能に形成されている。この係止部７４は、図３に示すように、スリーブ状部７２−１の上端に２カ所設けられ、また、板状部７２−２の上端の横方向の端部付近に１カ所設けられている。
【００４１】
なお、スリーブ状部７２−１の横方向の長さは、少なくとも中部構成部４４の外周面の長さの半分以下の長さに形成されていて（つまり、角度として、１８０度以下の角度分の長さに形成されている）、好ましくは、中部構成部４４の外周面の外周の長さの４分の１〜２分の１程度に形成されている。つまり、円弧の角度として、９０度〜１８０度程度の長さに形成されている。また、板状部７２−２の横方向の長さは、スリーブ状部７２−１の横方向の長さと同じ又は若干短く形成されている。
【実施例２】
【００４２】
次に、本発明の実施例２に基づく扇風機Ｂは、図４、図５に示されるように、扇風機本体１０５と、風よけ部１７０と、を有している。
【００４３】
扇風機本体１０５は、台部１１０と、支柱部１２０と、送風部１３０とを有している。ここで、台部１１０は、扇風機Ｂの基台として機能し、オンオフボタン１１２や、強弱切替えスイッチ１１４等が設けられている。このオンオフボタン１１２は、ファン１６０の回転をオンオフするためのスイッチであり、強弱切替えスイッチ１１４は、ファン１６０の回転速度を調整するためのスイッチである。
【００４４】
また、支柱部１２０は、外側支柱部１２２と、内側支柱部１２４とを有している。この外側支柱部１２２は、円筒状を呈し、内部に内側支柱部１２４を挿入可能に形成されている。また、外側支柱部１２２の上部の側面には、ネジ止め部１２８と螺合するためのネジ穴が設けられている。
【００４５】
また、内側支柱部１２４は、円柱状部１２５と、円柱状部１２５の上端に設けられた突状片部１２６とを有している。この円柱状部１２５は円柱状を呈し、外側支柱部１２２内に挿入可能となっていて、外側支柱部１２２に対して上下動可能となっている。また、突状片部１２６は、円柱状部１２５の上端から突出した板状の部材である。
【００４６】
また、円柱状部１２５の上端には、スイッチ（検出部）１２９が設けられていて、このスイッチ１２９は、送風部１３０が横向きになった場合に突状片部１３６により押されてオン状態となるように構成されている。
【００４７】
なお、内側支柱部１２４を上下方向に任意の位置とした状態でネジ止め部１２８を締め付けることにより、ネジ止め部１２８の先端を内側支柱部１２４の側面に押しつける状態として内側支柱部１２４の位置を固定することができる。
【００４８】
また、送風部１３０は、ケース部１３２と、カバー部１４０と、モータ（図示せず）と、回転軸１５０と、ファン１６０とを有している。
【００４９】
ここで、ケース部１３２は、ケース本体１３４と、突状片部１３６とを有し、ケース本体１３４は、ケース状を呈する部材であり、内部にモータ（図示せず）が収納されている。このケース本体１３４の形状は略円柱状を呈している。回転軸１５０は、このモータの回転軸である。また、突状片部１３６は、ケース本体１３４の底面に形成され、略板状を呈している。この突状片部１３６は突状片部１２６と重ね合わさった状態で軸部１３８により回転自在に固定されている。つまり、突状片部１２６と突状片部１３６とにはともに穴部が設けられていて、この穴部に軸部１３８が挿通されている。これにより、突状片部１３６は突状片部１２６に対して軸部１３８を中心に回転可能となり、これにより、送風部１３０も支柱部１２０に対して上下方向に回動自在となっている。なお、この軸部１３８は、例えば、リベットにより形成して頭部をつぶした状態として、軸部１３８が抜けないように形成する。また、突状片部１３６と突状片部１２６とは互いに適度に押しつけあった状態で取り付けるものとし、これにより、送風部１３０を支柱部１２０に対して適度な力で軸部１３８を中心に回動させることができ、また、任意の位置で送風部１３０の回動を停止させた場合でも送風部１３０はその位置で停止するようになっている。
【００５０】
また、上記実施例１のネジ止め部３８のような構成としてネジ止めできるようにしてもよい。つまり、突状片部１２６がネジ穴を有するとともに、突状片部１２６がネジ止め部のネジ部を挿通するための挿通穴を有した構成とし、ネジ止め部のネジ部を突状片部１２６の挿通穴に挿通し、突状片部１２６のネジ穴に螺着させる構成とする。これにより、送風部１３０が支柱部１２０に取り付けられ、送風部１３０を回動させる場合には、ネジ止め部を緩めて回動させた後にネジ止め部を締め付けて固定すればよい。
【００５１】
また、カバー部１４０は、図４に示すように、ケース部１３２の上端に設けられ、全体に円柱状を呈している。つまり、カバー部１４０は、円板状の端面部１４２と、該端面部１４２の外周端から立設した側面部１４４と、該側面部１４４の上端に設けられた端面部１４８とを有している。
【００５２】
この端面部１４２は、ケース部１３２の上面に設けられ、円板状の板状を呈していて、中央に回転軸１５０を挿通するための穴部が中央に設けられている。また、側面部１４４は、全体に筒状を呈し、円筒板状部（筒状部）１４５と円筒網目状部１４６とを有している。ここで、円筒板状部１４５は、円筒状の板状に形成され、また、円筒網目状部１４６は、網目状に形成されている。つまり、側面部１４４は、カバー部１４０の軸線を上下方向に向けた状態において、その下部側が開口された状態となっていて、該下部側に網目状の部材が設けられている。この円筒網目状部１４６に設けられた開口部が上記第１開口部となる。また、端面部１４８は、側面部１４４の上端に設けられていて、円形の外形を呈し、網目状に形成されている。端面部１４８に設けられた開口部が上記第２開口部となる。このカバー部１４０においては、端面部１４２と側面部１４４と端面部１４８とによってファン１６０を収納する収納空間が内部に形成されている。
【００５３】
また、モータは、ケース本体１３４内に収納されており、商用電源を駆動源として回転駆動する。なお、このモータは、正逆回転可能に構成されていて、制御回路の制御に従い回転方向が制御される。
【００５４】
また、回転軸１５０は、このカバー部１４０内に配置されていて、カバー部１４０の軸線方向に平行に設けられている。つまり、回転軸１５０は、カバー部１４０の端面部１４２に設けられた穴部から突出してカバー部１４０内に設けられている。
【００５５】
また、ファン１６０は、軸受部１６２と、羽根部１６４とを有している。この軸受部１６２は、円筒状を呈し、回転軸１５０に軸支されるようになっている。また、羽根部１６４は、軸受部１６２の周面に複数（本実施例では３つ）取り付けられている。このファン１６０は、正方向に回転する（つまり、正回転する）ことにより、端面部１４８側から吸引して円筒網目状部１４６側から側方に送風するとともに、正方向の回転方向とは逆方向に回転する（つまり、逆回転する）ことにより、円筒網目状部１４６から吸引して端面部１４８から送風することができるようになっている。
【００５６】
また、風よけ部１７０は、カバー部１４０の一部をカバーして送風されない領域を形成するための部材であり、風よけ部本体１７２と、係止部（「係止部材」としてもよい）１７４とを有している。ここで、風よけ部本体１７２は、曲面状の板状を呈する部材であり、この風よけ部本体１７２は、少なくとも空気を透過しない部材により形成されている。ここで、風よけ部本体１７２の形状について具体的に説明すると、風よけ部本体１７２は円弧状の板状を呈し、その縦方向の長さα２１は、カバー部１４０の縦方向（つまり、軸線方向と平行な方向）の長さβ２と略同一となっている。また、風よけ部本体１７２がなす円弧の径は、カバー部１４０における側面部１４４にカバーできる程度の径を有していて、例えば、風よけ部本体１７２の内側の面の円弧の径は、側面部１４４の外周面の径と略同一となっている。また、風よけ部本体１７２の横方向の長さは、少なくとも側面部１４４の外周面の長さ以下の長さに形成されていて（つまり、角度として、３６０度以下の角度分の長さに形成されている）、好ましくは、側面部１４４の外周面の外周の長さの４分の１〜２分の１程度に形成されている。つまり、円弧の角度として、９０度〜１８０度程度の長さに形成されている。
【００５７】
また、係止部１７４は、風よけ部本体１７２をカバー部１４０に取り付けるための取付け部材であり、逆Ｊ字状（逆Ｕ字状でもよい）に形成され、カバー部１４０を構成する網目に係止可能に形成されている。この係止部１７４は、風よけ部本体１７２に複数（例えば、２つ）設けられている。
【００５８】
なお、風よけ部本体１７２の横方向の長さが異なる風よけ部を複数用意しておいて（つまり、円弧の角度として角度が異なる風よけ部本体を複数用意しておく）、状況に応じて使い分けるようにしてもよい。
【００５９】
また、扇風機Ｂには、制御回路（制御部）が設けられていて、この制御回路は、主として、ケース本体１３４に収納されたモータの動作を制御する。例えば、モータの駆動のオンオフを制御したり、モータの回転方向やモータの回転数を制御する。特に、スイッチ１２９がオフとなっている場合には、モータを正回転させ、スイッチ１２９が押されてオンとなっている場合には、モータを逆回転させる。
【００６０】
上記構成の扇風機Ｂの使用状態について説明する。まず、３６０度の方向に送風を行う第１モードの場合について説明する。この場合には、送風部１３０を上向きにして、スイッチ１２９がオフの状態となるようにする。すなわち、回転軸１５０の向きが垂直方向又は垂直方向に近似した方向になるように送風部１３０の向きを調整する。すると、スイッチ１２９は突状片部１３６により押されないので、スイッチ１２９はオフの状態となる。なお、支柱部１２０の高さは、内側支柱部１２４の高さを調整することにより調整する。
【００６１】
そして、オンオフボタン１１２がオフになっている状態でオンオフボタン１１２を押すと、制御回路がオンオフボタン１１２が押されてオン状態となったことを検知する。制御回路はオンオフボタン１１２がオン状態であることを検知したら、スイッチ１２９の状態を検知して、スイッチ１２９の状態に応じてモータの回転方向を制御してモータを駆動させる。この場合には、スイッチ１２９はオフ状態となっているので、制御回路は、モータが正回転に回転するように回転制御する。この正回転の回転方向が上記第１の回転方向となる。このようにしてモータが正回転することにより、ファン１６０が正回転する。すると、空気は端面部１４８側から吸引され、端面部１４２側に送り出される。端面部１４２側に送り出された空気は、円筒網目状部１４６から側方に送り出されるので、これにより、３６０度の方向に送風が行われることになる。よって、扇風機Ｂの近くにいる者であればどの位置にいても風を受けることができる。
【００６２】
なお、３６０度の方向へ送風が行われることにより、送風を受けたくない場合には、上記実施例１の場合と同様に、風よけ部１７０をカバー部１４０に取り付けて使用すればよい。なお、風よけ部１７０の係止部１７４は、カバー部１４０における端面部１４８が網目状に形成されているので、この端面部１４８に係止すればよい。
【００６３】
次に、１方向のみに送風を行う第２モードの場合について説明する。この場合には、送風部１３０を横向きにして、スイッチ１２９がオンの状態となるようにする。すなわち、回転軸１５０の向きが水平方向又は水平方向に近い方向になるように送風部１３０の向きを調整する。すると、スイッチ１２９が突状片部１３６に押されるので、スイッチ１２９はオンの状態となる。なお、支柱部１２０の高さは、内側支柱部１２４の高さを調整することにより調整するが、送風部１３０が横向きとなると送風部１３０が上向きの場合と比べて送風位置、すなわち、ファン１６０の位置が若干低い位置となるので、内側支柱部１２４を外側支柱部１２２に対して上側に伸ばした状態としておくのが好ましい。
【００６４】
そして、オンオフボタン１１２がオフになっている状態でオンオフボタン１１２を押すと、制御回路がオンオフボタン１１２が押されてオン状態となったことを検知する。制御回路はオンオフボタン１１２がオン状態であることを検知したら、スイッチ１２９の状態を検知して、スイッチ１２９の状態に応じてモータの回転方向を制御してモータを駆動させる。この場合には、スイッチ１２９はオン状態となっているので、制御回路は、モータが逆回転に回転するように回転制御する。この逆回転の回転方向が上記第２の回転方向となる。このようにしてモータが逆回転することにより、ファン１６０が逆回転する。すると、空気は円筒網目状部１４６側から吸引され、端面部１４８側に送り出される。これにより、端面部１４８の前方に向けて送風が行われることになる。
【００６５】
なお、送風の強度を調整する場合には、強弱切替えスイッチ１１４により切替えを行う。制御回路は、この強弱切替えスイッチ１１４の状態を検知して、モータの回転数を制御する。
【００６６】
以上のように、本実施例の扇風機Ｂによれば、上記第１モードの状態では、扇風機Ｂを中心とした３６０度の方向に送風が行われるとともに、上記風よけ部１７０を用いることにより、限定された方向のみに送風を行うことができる。また、第２モードの状態では、通常の扇風機と同様の状態で使用することができるので、この第２モードによっても３６０度の方向ではない限定した方向のみに送風を行うことができる。
【００６７】
なお、送風部１３０が所定の角度の範囲内を往復回転する、いわゆる首振り機能を備えることにより、第２モードにおいて、ある角度の範囲のみに送風を行うことができる。つまり、送風部１３０を所定角度の範囲において水平方向に往復回転する往復回転機構を設ける。この首振り機能を備える場合の例としては、例えば、支柱部１２０が台部１１０に対して所定角度の範囲内で往復回転するようにする方法や、内側支柱部１２４が外側支柱部１２２に対して所定角度の範囲内で往復回転するようにする方法が考えられる。
【００６８】
また、この実施例２においても、風よけ部１７０を図３に示すように伸縮自在とするようにしてもよい。
【図面の簡単な説明】
【００６９】
【図１】本発明の実施例１に基づく扇風機の構成を示す斜視図である。
【図２】風よけ部を取り付けた状態を示す扇風機の斜視図である。
【図３】風よけ部の他の例を示す斜視図である。
【図４】本発明の実施例２に基づく扇風機の構成を示す斜視図である。
【図５】本発明の実施例２に基づく扇風機の構成を示す斜視図である。
【符号の説明】
【００７０】
Ａ、Ｂ  扇風機
１０、１１０  台部
２０、１２０  支柱部
３０、１３０  送風部
３２、１３２  ケース部
３４、１３４  ケース本体
３６、１２６、１３６  突状片部
４０、１４０  カバー部
５０、１５０  回転軸
６０、１６０  ファン
７０、７０’、１７０  風よけ部
１２２  外側支柱部
１２４  内側支柱部
【図１】
2006063948.tif 000003
【図２】
2006063948.tif 000004
【図３】
2006063948.tif 000005
【図４】
2006063948.tif 000006
【図５】
2006063948.tif 000007